【手続補正書】
【提出日】平成23年8月15日(2011.8.15)
【手続補正１】
【補正対象書類名】特許請求の範囲
【補正対象項目名】全文
【補正方法】変更
【補正の内容】
【特許請求の範囲】
【請求項１】
独立気泡を有し、かつ（Ａ）天然ゴム及びジエン系合成ゴムの中から選ばれる少なくとも一種のゴム成分と、その１００質量部に対し、（Ｂ）シリカ１０〜１５０質量部及び（Ｃ）有機繊維を０．０２〜２０質量部含むと共に、（Ｄ）下記一般式（Ｉ）
【化１】
2010031155.tif 000001
［式中、Ｒ1は炭素数１〜２０の直鎖もしくは、分岐、環状のアルキル基であり、Ｇはそれぞれ独立して炭素数１〜９のアルカンジイル基又はアルケンジイル基であり、Ｚaはそれぞれ独立して二つの珪素原子と結合することのできる基で、 [−Ｏ−]0.5、[−Ｏ−Ｇ−]0.5又は[−Ｏ−Ｇ−Ｏ−] 0.5から選ばれる基であり、Ｚbはそれぞれ独立して二つの珪素原子と結合することのできる基で、 [−Ｏ−Ｇ−Ｏ−] 0.5で表される官能基であり、ＺCはそれぞれ独立して−Ｃｌ、−Ｂｒ、−ＯＲ2、Ｒ2Ｃ(＝Ｏ)Ｏ−、Ｒ2Ｒ3Ｃ＝ＮＯ−、Ｒ2Ｒ3Ｎ−，Ｒ2−，ＨＯ−Ｇ−Ｏ−で表される官能基であり、Ｇは上記表記と一致し、Ｒ2及びＲ3はそれぞれ独立に炭素数１〜２０の直鎖もしくは、分岐、環状のアルキル基である。
ｍ、ｎ、ｕ、ｖ、ｗはそれぞれ独立して１≦ｍ≦２０、０≦ｎ≦２０、０≦ｕ≦３、０≦ｖ≦２、０≦ｗ≦１であり、かつ（ｕ／２）＋ｖ＋２ｗ＝２又は３である。
Ａ部が複数である場合、複数のＡ部におけるＺau、Ｚbv及びＺcwそれぞれにおいて、同一でも異なっていてもよく、Ｂ部が複数である場合、複数のＢ部におけるＺau、Ｚbv及びＺcwそれぞれにおいて、同一でも異なってもよい。］で表されるシランカップリグ剤を、前記（Ｂ）成分のシリカに対して２〜３０質量％の割合で含むことを特徴とするタイヤ用ゴム組成物。
【請求項２】
前記一般式（Ｉ）で表される（Ｄ）成分が、化学式（II）、
【化２】
2010031155.tif 000002
化学式（III）、
【化３】
2010031155.tif 000003
及び化学式（IV）
【化４】
2010031155.tif 000004
［式中、Ｌはそれぞれ独立して炭素数１〜９のアルカンジイル基又はアルケンジイル基であり、ｘ＝ｍ、ｙ＝ｎである。］で表されるシランカップリング剤の中から選ばれる少なくとも一種である請求項１に記載のタイヤ用ゴム組成物。
【請求項３】
（Ａ）成分中のジエン系合成ゴムが、末端変性共役ジエン系重合体を少なくとも含む請求項１又は２に記載のタイヤ用ゴム組成物。
【請求項４】
末端変性共役ジエン系重合体が、１，３−ブタジエンを主体とする共役ジエン系モノマーを重合して得られ、主鎖の共役ジエン部分におけるシス−１，４−結合の含量が７５モル％以上であり、活性末端を有する共役ジエン共重合体の該活性末端と、下記一般式（Ｖ）で表されるヒドロカルビルオキシシラン化合物Ｖ及び／またはその部分縮合物とを反応させる工程を含む方法で製造されたものである請求項３に記載のタイヤ用ゴム組成物。
【化５】
2010031155.tif 000005
〔式中、Ａ1はエポキシ，チオエポキシ、イソシアネート，チオイソシアネート，ケトン，チオケトン、アルデヒド，チオアルデヒド、イミン，アミド，イソシアヌル酸トリヒドロカルビルエステル，カルボン酸エステル，チオカルボン酸エステル，カルボン酸無水物，カルボン酸ハロゲン化物及び炭酸ジヒドロカルビルエステルから選ばれる少なくとも一種の官能基を有する一価の基、Ｒ4は単結合又は二価の不活性炭化水素基であり、Ｒ5及びＲ6は、それぞれ独立に炭素数１〜２０の一価の脂肪族炭化水素基又は炭素数６〜１８の一価の芳香族炭化水素基を示し、ｎは０から２の整数であり、ＯＲ6が複数ある場合、複数のＯＲ6は同一でも異なっていてもよく、また分子中には活性プロトン及びオニウム塩は含まれない。〕
【請求項５】
ヒドロカルビルオキシシラン化合物Ｖが、３−グリシドキシプロピルトリメトキシシランである請求項４に記載のタイヤ用ゴム組成物。
【請求項６】
末端変性共役ジエン系重合体が、アミン変性共役ジエン系重合体である請求項３に記載のタイヤ用ゴム組成物。
【請求項７】
アミン変性共役ジエン系重合体が、一級アミン変性共役ジエン系重合体である請求項６に記載のタイヤ用ゴム組成物。
【請求項８】
一級アミン変性共役ジエン系重合体が、共役ジエン系重合体の活性末端に、保護化一級アミン化合物を反応させて得られたものである請求項７に記載のタイヤ用ゴム組成物。
【請求項９】
共役ジエン系重合体が、有機アルカリ金属化合物を開始剤とし、有機溶媒中で共役ジエン化合物単独、又は共役ジエン化合物と芳香族ビニル化合物とをアニオン重合させて得られたものである請求項８に記載のタイヤ用ゴム組成物。
【請求項１０】
共役ジエン系重合体が、ポリブタジエンである請求項９に記載のタイヤ用ゴム組成物。
【請求項１１】
保護化一級アミン化合物が、Ｎ，Ｎ−ビス（トリメチルシリル）アミノプロピルメチルジエトキシシランである請求項８〜１０のいずれかに記載のタイヤ用ゴム組成物。
【請求項１２】
前記（Ｃ）成分が、（Ｅ）微粒子を含む（Ｆ）微粒子含有有機繊維である請求項１〜１１のいずれかに記載のタイヤ用ゴム組成物。
【請求項１３】
前記（Ｆ）成分が、（Ｃ）成分を構成する素材１００質量部に対して、（Ｅ）成分を５〜９０質量部含有する請求項１〜１２のいずれかに記載のタイヤ用ゴム組成物。
【請求項１４】
前記（Ｃ）成分及び（Ｆ）成分に使用される繊維が、径０．０１〜０．１ｍｍ、及び長さ０．５〜２０mmである請求項１〜１３のいずれかに記載のタイヤ用ゴム組成物。
【請求項１５】
前記（Ｃ）成分及び（Ｆ）成分を構成する素材がポリエチレン及び／又はポリプロピレンからなる結晶性高分子であり、かつ融点が１９０℃以下である請求項１〜１４のいずれかに記載のタイヤ用ゴム組成物。
【請求項１６】
前記（Ｅ）成分のモース硬度が２以上であり、粒径分布の頻度数の８０質量%以上が１０〜５０μｍであり、平均粒子径が１０〜３０μｍであるものを含む請求項１〜１５のいずれかに記載のタイヤ用ゴム組成物。
【請求項１７】
前記（Ｅ）成分の粒度分布のピーク値での頻度数が、２０質量%以上のものである請求項１〜１６のいずれかに記載のタイヤ用ゴム組成物。
【請求項１８】
前記（Ｅ）成分が、アスペクト比１．１以上で、かつ角部が存在している請求項１〜１７のいずれかに記載のタイヤ用ゴム組成物。
【請求項１９】
前記（Ｅ）成分が、無機微粒子及び有機微粒子から選択される請求項１〜１８のいずれかに記載のタイヤ用ゴム組成物。
【請求項２０】
さらに、（Ａ）ゴム成分１００質量部に対して、（Ｇ）下記一般式（VI）
ＨＯＯＣ−ＣＨ＝ＣＨ−ＣＯＯ−Ａ−ＯＯＣ−ＣＨ＝ＣＨ−ＣＯＯＨ・・・（VI）
［式中、Ａは−Ｒ7Ｏ−、−（Ｒ8Ｏ）s−、−ＣＨ2ＣＨ（ＯＨ）ＣＨ2Ｏ−又は−（Ｒ9ＯＯＣ−Ｒ10−ＣＯＯ−）tＲ9Ｏ−で示される基であり、Ｒ7は炭素数２〜３６の二価の炭化水素基、Ｒ8は炭素数２〜４のアルキレン基、ｓは平均付加モル数で１〜６０の数、Ｒ9は炭素数２〜１８の二価の炭化水素基又は−（Ｒ11Ｏ）uＲ11−（ただし、Ｒ11は炭素数２〜４のアルキレン基、ｕは平均付加モル数で１〜３０の数を示す。）、Ｒ10は炭素数２〜１８の二価の炭化水素基、ｔは平均値で１〜３０の数である。］で表される化合物０．３〜７質量部を含む請求項１〜１９のいずれかに記載のタイヤ用ゴム組成物。
【請求項２１】
請求項１〜２０いずれかに記載のゴム組成物をトレッド部の路面と実質的に接する面に用いたことを特徴とする空気入りタイヤ。
【請求項２２】
前記実質的に路面と接する部分のトレッドゴム層の発泡率が３〜５０％である請求項２１に記載の空気入りタイヤ。
【手続補正２】
【補正対象書類名】明細書
【補正対象項目名】発明の名称
【補正方法】変更
【補正の内容】
【発明の名称】タイヤ用ゴム組成物及びそれを用いた空気入りタイヤ